Podtech/llm-jp-corpus-v4-ja_patent huggingface dataset:
【手続補正書】
【提出日】平成17年4月4日(2005.4.4)
【手続補正１】
【補正対象書類名】特許請求の範囲
【補正対象項目名】請求項３
【補正方法】変更
【補正の内容】
【請求項３】
【化２】
2005501047.tif 000001
Ｒ４、Ｒ５、及びＲ６が、それぞれ独立に、スレオニン、セリン、グルタミン酸アリルエステル、ホモシトルリン、リジン、メチオニン、ノルロイシン、オルニチン、アルギニン、グリシン、ジアミノプロピオン酸、ジアミノ酪酸、ＧｌｙＮＨ２、及びアラニンからなる群から選択され、あるいはグリシン、アラニン及びチロシンの群から選択されるアミノ酸のＮα−ω−官能化誘導体であり、
Ｒ７は、フェニルアラニン、ホモロイシン、ノルロイシン、グルタミン酸アリルエステルからなる群から選択され、
Ｗが、存在せず、あるいはＮ−（８−スルホンアミド−５−イソキノリン）エチレンジアミンであり、及び
Ｌが、存在しなくてよく、あるいはグリシン、β−アラニン、フェニルアラニン、アミノ酪酸及びアミノペンタン酸からなる群から選択される、
式ＩＩａの化合物。
【手続補正２】
【補正対象書類名】明細書
【補正対象項目名】００３５
【補正方法】変更
【補正の内容】
【００３５】
本発明の別の好ましい実施形態は、式ＩＩａ〜ＩＩｄ
【化２】
2005501047.tif 000002
【化３】
2005501047.tif 000003
【化４】
2005501047.tif 000004
【化５】
2005501047.tif 000005
［式中、
Ｒ４、Ｒ５、及びＲ６は、それぞれ独立に、スレオニン、セリン、グルタミン酸アリルエステル、ホモシトルリン、リジン、メチオニン、ノルロイシン、オルニチン、アルギニン、グリシン、ジアミノプロピオン酸、ジアミノ酪酸、ＧｌｙＮＨ２、及びアラニンからなる群から選択され、あるいはグリシン、アラニン及びチロシンの群から選択されるアミノ酸のＮα−ω−官能化誘導体であり、
Ｒ７は、フェニルアラニン、ホモロイシン、ノルロイシン、グルタミン酸アリルエステルからなる群から選択され、
Ｗは、存在せず、あるいはＮ−（８−スルホンアミド−５−イソキノリン）エチレンジアミンであり、
Ｌは、存在しなくてよく、あるいはグリシン、β−アラニン、フェニルアラニン、アミノ酪酸及びアミノペンタン酸からなる群から選択される］
の化合物を含む。式ＩＩｂに記載のように、ＷはＲ５に連結していることが好ましい。
【手続補正３】
【補正対象書類名】明細書
【補正対象項目名】００８７
【補正方法】変更
【補正の内容】
【００８７】
本発明の別の好ましい実施形態は、式ＩＩａ〜ＩＩｄ
【化１４】
2005501047.tif 000006
【化１５】
2005501047.tif 000007
【化１６】
2005501047.tif 000008
【化１７】
2005501047.tif 000009
［式中、
Ｒ４、Ｒ５、及びＲ６は、それぞれ独立に、スレオニン、セリン、グルタミン酸アリルエステル、ホモシトルリン、リジン、メチオニン、ノルロイシン、オルニチン、アルギニン、グリシン、ジアミノプロピオン酸、ジアミノ酪酸、ＧｌｙＮＨ２、及びアラニンからなる群から選択され、あるいはグリシン、アラニン及びチロシンの群から選択されるアミノ酸のＮα−ω−官能化誘導体であり、
Ｒ７は、フェニルアラニン、ホモロイシン、ノルロイシン、グルタミン酸アリルエステルからなる群から選択され、
Ｗは、存在せず、あるいはＮ−（８−スルホンアミド−５−イソキノリン）エチレンジアミンであり、
Ｌは、存在しなくてよく、あるいはグリシン、β−アラニン、フェニルアラニン、アミノ酪酸及びアミノペンタン酸からなる群から選択される］
の化合物を含む。式ＩＩｂに記載のように、ＷはＲ５に連結していることが好ましい。
【手続補正書】
【提出日】平成16年5月7日(2004.5.7)
【手続補正１】
【補正対象書類名】特許請求の範囲
【補正対象項目名】全文
【補正方法】変更
【補正の内容】
【特許請求の範囲】
【請求項１】
以下の段階を含む、多能性幹細胞の集団を拡大するための方法：
a) ヒト胚盤胞から単離または増殖された多能性幹細胞の集団を得る段階；
b) 下記成分
i) 単離された細胞外マトリックス成分から作製された細胞外マトリックス、
ii) タンパク質またはアミノ酸、ヌクレオシド、および脂質を含む、新鮮な等張培地、
iii) 線維芽細胞増殖因子
を含む培養環境中で、細胞集団を培養する段階；ならびに
c) 各培養環境中の細胞がすべて同じ遺伝子型を有する段階であって、
少なくとも50％の細胞が未分化であって内胚葉、中胚葉、および外胚葉の派生体への分化を引き起こされ得るように、集団内の細胞数が少なくとも10倍拡大されるまで、任意で、細胞集団を、該成分を含む新たな培養環境中に1回または複数回継代する段階。
【請求項２】
拡大した細胞集団内の少なくとも50％または70％の細胞が未分化であって3種の胚葉すべてに相当する子孫を産生し得るように、集団内の細胞数が少なくとも50倍拡大されるまで細胞集団を培養する、請求項1記載の方法。
【請求項３】
各継代後に、未分化細胞数が最後の継代から少なくとも2倍拡大されるまで細胞を培養するか、または
方法に従って細胞を継代および培養した後、最初に得られた多能性幹細胞の数が少なくとも100倍拡大され、かつ、100倍拡大された後、少なくとも50％の細胞が未分化であって3種の胚葉すべてに相当する子孫を産生し得る、
前記請求項のいずれか一項記載の方法であり、以下の段階を含む方法：
拡大期間において、細胞集団を、上記成分を含む新たな培養環境中に少なくとも3回継代する段階。
【請求項４】
培養段階および任意の継代段階により、細胞集団が、同じ細胞集団をマウス胎児線維芽細胞フィーダー細胞上で培養した場合よりも少なくとも1.5倍速い速度で増殖するか、または
拡大した細胞集団が、テロメラーゼ逆転写酵素（TERT）またはOCT-4を、同じ細胞集団をマウス胎児線維芽細胞フィーダー細胞上で培養した場合の5倍以下のレベルで発現する、
前記請求項のいずれか一項記載の方法。
【請求項５】
i) 単離された細胞外マトリックス成分から作製された細胞外マトリックス、
ii) タンパク質またはアミノ酸、ヌクレオシド、および脂質を含む、新鮮な等張培地、ならびに
iii) 線維芽細胞増殖因子
を含む、多能性幹細胞の集団を拡大するための培養環境であって、
ヒト胚盤胞から単離または増殖された多能性幹細胞が
a) 培養環境中で培養され、かつ
b) 集団内の細胞数が少なくとも10倍拡大されるまで、任意で、該成分を含む新たな培養環境中で1回または複数回継代される場合、
少なくとも50％の細胞が未分化であって内胚葉、中胚葉、および外胚葉の派生体への分化を引き起こされ得るような細胞集団が得られる、
【請求項６】
a) ヒト胚盤胞から単離または増殖された多能性幹細胞の集団；ならびに
b) 以下の成分
i) 単離された細胞外マトリックス成分から作製された細胞外マトリックス、
ii) タンパク質またはアミノ酸、ヌクレオシド、および脂質を含む、新鮮な等張培地、
iii) 線維芽細胞増殖因子
を含む培養環境
を含む、ヒト多能性幹細胞を拡大するための組成物であって、
各培養環境中の細胞がすべて同じ遺伝子型を有し、かつ
集団内の細胞数が少なくとも10倍拡大されるまで組成物を培養することにより（および任意で、細胞集団を、該成分を含む新たな培養環境中に1回または複数回継代することにより）、少なくとも50％の細胞が未分化であって内胚葉、中胚葉、および外胚葉の派生体への分化を引き起こされ得るような細胞集団が産生される、培養環境。
【請求項７】
少なくとも50％の細胞が未分化であって3種の胚葉すべてに相当する子孫を産生し得る拡大した細胞集団を産生する、ヒト胚盤胞から単離または増殖された多能性幹細胞の集団を、集団内の細胞数が少なくとも10倍拡大されるまで培養するための、以下の成分を含む培養環境の使用：
i) 細胞外マトリックス；
ii) タンパク質またはアミノ酸、ヌクレオシド、および脂質を含む、新鮮な等張培地；ならびに
iii) 線維芽細胞増殖因子。
【請求項８】
培養環境が、ラミニンを含むかもしくはEngelbreth-Holm-Swarm細胞から作製される、細胞外マトリックスを含む；
ウシ胎仔血清、アルブミン、もしくは血清代替物の形でタンパク質が培地に添加される；
高密度もしくは低密度リポタンパク質の形で脂質が培地に添加される；
線維芽細胞増殖因子（FGF）が塩基性FGF、FGF-4、もしくは、塩基性FGFかFGF-4のいずれかの受容体に結合する抗体かリガンドである；または
培地がインスリンおよびトランスフェリンをさらに含む、
前記請求項のいずれか一項記載の方法、組成物、または使用。
【請求項９】
多能性幹細胞がヒト胚幹（hES）細胞の樹立株の子孫である、前記請求項のいずれか一項記載の方法、組成物、または使用。
【請求項１０】
少なくとも95％の細胞が神経系細胞、肝細胞、心筋細胞、間葉細胞、または骨芽細胞である、
分化細胞の細胞集団への、拡大した細胞集団（またはその亜集団）の分化を引き起こす段階をさらに含む、請求項1〜4および8〜9のいずれか一項記載の方法。
【請求項１１】
少なくとも50％の細胞が未分化であって3種の胚葉すべてに相当する子孫を産生できる、請求項1〜5および9〜10のいずれか一項記載の方法に基づいて得られる、未分化多能性幹細胞の集団。
【請求項１２】
請求項10記載の方法に基づいて得られる、ヒト胚盤胞から単離または増殖された多能性幹細胞の子孫である、分化細胞の集団。
【手続補正２】
【補正対象書類名】明細書
【補正対象項目名】０００２
【補正方法】変更
【補正の内容】
【０００２】
関連出願の参照
本出願は、2001年9月5日に出願された米国特許出願第60/317,478号、および2002年9月4日に出願されて第US-2003-0017589-A1号として公開された米国実用出願第10/235,094号に対する優先権を主張する。
【手続補正書】
【提出日】平成16年4月27日(2004.4.27)
【手続補正１】
【補正対象書類名】特許請求の範囲
【補正対象項目名】全文
【補正方法】変更
【補正の内容】
【特許請求の範囲】
【請求項１】
以下のステップ：
a) 少なくとも1個のCD34陽性細胞をflt-3リガンド及び幹細胞因子と接触させて前駆細胞の増殖集団を作製し；そしてその後、
b) 上記前駆細胞を、上記幹細胞因子及び上記前駆細胞を肥満細胞に分化させるために好適なサイトカインと接触させ、それにより肥満細胞の増殖集団を作製する、
を含む、培養肥満細胞の作製方法。
【請求項２】
前記サイトカインがIL-6であり、かつ、前記肥満細胞が粘膜肥満細胞である、請求項1に記載の方法。
【請求項３】
前記IL-6がヒトIL-6である、請求項2に記載の方法。
【請求項４】
前記サイトカインがIL-4であり、かつ、前記肥満細胞が結合組織型肥満細胞である、請求項1に記載の方法。
【請求項５】
前記IL-4がヒトIL-4である、請求項4に記載の方法。
【請求項６】
前記flt-3リガンドがヒトflt-3リガンドである、請求項1に記載の方法。
【請求項７】
前記幹細胞因子がヒト幹細胞因子である、請求項1に記載の方法。
【請求項８】
前記CD34陽性細胞がヒトCD34陽性細胞である、請求項1に記載の方法。
【請求項９】
前記CD34陽性細胞が臍帯血から得られる、請求項1に記載の方法。
【請求項１０】
前記前駆細胞の増殖集団が少なくとも約107個の細胞を含む、請求項1に記載の方法。
【請求項１１】
前記前駆細胞の増殖集団が少なくとも約108個の細胞を含む、請求項1に記載の方法。
【請求項１２】
前記前駆細胞の増殖集団が少なくとも約109個の細胞を含む、請求項1に記載の方法。
【請求項１３】
前記前駆細胞の増殖集団が少なくとも約1010個の細胞を含む、請求項1に記載の方法。
【請求項１４】
前記前駆細胞の増殖集団が少なくとも約1011個の細胞を含む、請求項1に記載の方法。
【請求項１５】
請求項1に記載の方法により製造された培養肥満細胞の集団。
【請求項１６】
前記サイトカインがIL-6であり、かつ、前記肥満細胞が粘膜肥満細胞である、請求項15に記載の培養肥満細胞の集団。
【請求項１７】
前記IL-6がヒトIL-6である、請求項16に記載の培養肥満細胞の集団。
【請求項１８】
前記サイトカインがIL-4であり、かつ、前記肥満細胞が結合組織型肥満細胞である、請求項15に記載の培養肥満細胞の集団。
【請求項１９】
前記IL-4がヒトIL-4である、請求項18に記載の培養肥満細胞の集団。
【請求項２０】
前記flt-3リガンドがヒトflt-3リガンドである、請求項15に記載の培養肥満細胞の集団。
【請求項２１】
前記幹細胞因子がヒト幹細胞因子である、請求項15に記載の培養肥満細胞の集団。
【請求項２２】
前記肥満細胞がヒト肥満細胞である、請求項15に記載の培養肥満細胞の集団。
【請求項２３】
前記前駆細胞の増殖集団が少なくとも約107個の細胞を含む、請求項15に記載の培養肥満細胞の集団。
【請求項２４】
前記前駆細胞の増殖集団が少なくとも約108個の細胞を含む、請求項15に記載の培養肥満細胞の集団。
【請求項２５】
前記前駆細胞の増殖集団が少なくとも約109個の細胞を含む、請求項15に記載の培養肥満細胞の集団。
【請求項２６】
前記前駆細胞の増殖集団が少なくとも約1010個の細胞を含む、請求項15に記載の培養肥満細胞の集団。
【請求項２７】
前記前駆細胞の増殖集団が少なくとも約1011個の細胞を含む、請求項15に記載の培養肥満細胞の集団。
【請求項２８】
培養肥満細胞の実質的に純粋な集団。
【請求項２９】
ヒト肥満細胞である、請求項28に記載の培養肥満細胞の集団。
【請求項３０】
少なくとも約107個の細胞を含む、請求項28に記載の培養肥満細胞の集団。
【請求項３１】
肥満細胞において変更された表現型を製造することができる作用物質を同定する方法であって、以下の：
a) 請求項15〜22のいずれか1項に記載の培養肥満細胞の集団を、少なくとも1の候補生理活性剤と接触させ；そして
b) 上記肥満細胞の集団内の細胞が、変更された表現型をもつかどうかを測定する、
を含む前記方法。
【請求項３２】
前記の変更された表現型が、肥満細胞の少なくとも1個の細胞の脱顆粒の低下である、請求項31に記載の方法。
【請求項３３】
前記変更された表現型を生じさせる候補生理活性剤を単離することをさらに含む、請求項31に記載の方法。
【請求項３４】
前記候補生理活性剤が低分子の候補生理活性剤である、請求項31に記載の方法。
【請求項３５】
前記候補生理活性剤がペプチドであり、かつ、前記接触が、前記ペプチドをコードする核酸を前記肥満細胞内に導入することにより行われる、請求項31に記載の方法。
【請求項３６】
前記核酸がcDNA配列を含む、請求項35に記載の方法。
【請求項３７】
前記核酸が、gDNA配列を含む、請求項35に記載の方法。
【請求項３８】
前記核酸がmRNA配列を含む、請求項35に記載の方法。
【請求項３９】
前記ペプチドが、ランダム・ペプチドである、請求項35に記載の方法。
【請求項４０】
前記前駆細胞の増殖集団が少なくとも約107個の細胞を含む、請求項31に記載の方法。
【請求項４１】
前記前駆細胞の増殖集団が少なくとも約108個の細胞を含む、請求項31に記載の方法。
【請求項４２】
前記前駆細胞の増殖集団が少なくとも約109個の細胞を含む、請求項31に記載の方法。
【請求項４３】
前記前駆細胞の増殖集団が少なくとも約1010個の細胞を含む、請求項31に記載の方法。
【請求項４４】
前記前駆細胞の増殖集団が少なくとも約1011個の細胞を含む、請求項31に記載の方法。
【手続補正書】
【提出日】平成15年12月12日(2003.12.12)
【手続補正１】
【補正対象書類名】明細書
【補正対象項目名】０３４９
【補正方法】変更
【補正の内容】
【０３４９】
2005501526.tif 000001
2005501526.tif 000002
2005501526.tif 000003
2005501526.tif 000004
2005501526.tif 000005
2005501526.tif 000006
2005501526.tif 000007
2005501526.tif 000008
2005501526.tif 000009
2005501526.tif 000010
2005501526.tif 000011
2005501526.tif 000012
2005501526.tif 000013
2005501526.tif 000014
2005501526.tif 000015
2005501526.tif 000016
2005501526.tif 000017
2005501526.tif 000018
表７
2005501526.tif 000019
表７（続）
2005501526.tif 000020
表7(続)
2005501526.tif 000021
表７（続）
2005501526.tif 000022
【手続補正２】
【補正対象書類名】明細書
【補正対象項目名】配列表
【補正方法】追加
【補正の内容】
【配列表】
2005501526000001.app
【手続補正書】
【提出日】平成16年1月5日(2004.1.5)
【手続補正１】
【補正対象書類名】特許請求の範囲
【補正対象項目名】全文
【補正方法】変更
【補正の内容】
【特許請求の範囲】
【請求項１】
試験媒体カセットと、切り込みから体液を圧出するための手段とを備えた体液サンプリング装置であって、
前記試験媒体カセットが、試験媒体テープと、該試験媒体テープが供給される供給部と、該試験媒体テープが保存される保存部とを含み、
前記試験テープ上に切り込みからの体液が収集されてなる体液サンプリング装置。
【請求項２】
前記体液を圧出するための手段が、切り込みから体液を引き上げるために動作し得る真空アセンブリを含んでいる請求項１記載のサンプリング装置。
【請求項３】
皮膚を穿孔して、切り込みから体液を前記試験媒体テープに引くために前記真空アセンブリに動作し得るように結合されたキャビティーを画定する穿孔装置をさらに備えてなる請求項２記載のサンプリング装置。
【請求項４】
前記試験媒体テープが別々の試験セクションを含み、当該試験セクションのおのおのが前記試験媒体テープに画定された真空通路と封止膜とを含み、体液が採取されたときに当該封止膜が穿孔され、当該穿孔装置の周りを封止し、前記試験セクションのそれぞれが前記真空通路と封止膜との間に位置づけられ、前記試験パッドが体液を採取するようにされている請求項３記載のサンプリング装置。
【請求項５】
体液を分析するために前記試験媒体テープに対して近位側に設けられたセンサを備えてなる請求項４記載のサンプリング装置。 
【請求項６】
体液を分析するために前記試験媒体に対して近位側に設けられたセンサをさらに備えてなる請求項１記載のサンプリング装置。
【請求項７】
体液を分析するために前記試験媒体に対して近位側に設けられたセンサをさらに備えてなる請求項１記載のサンプリング装置。
【請求項８】
前記センサが光学的センサを含む請求項７記載のサンプリング装置。 
【請求項９】
体液を採取するように構成された試験媒体テープ、体液によって汚染されていない試験媒体テープの非汚染セクションを保存するように構成された供給部、および体液によって汚染された試験媒体テープの汚染セクションを保存するように構成された保存部を含む試験媒体カセットと、
前記試験媒体テープによる採取のための切り込み部から体液を引くために前記試験媒体カセットの近位側に設けられた真空アセンブリ
とを備えてなる体液サンプリング装置。
【請求項１０】
皮膚を穿孔するための穿孔装置をさらに備え、当該穿孔装置が前記試験媒体テープによる採取のための切り込み部から体液を引くために、前記真空アセンブリに動作可能に結合された、空洞を画定している請求項９記載のサンプリング装置。
【請求項１１】
前記試験媒体テープが別々の試験セクションを含み、該試験セクションのおのおのが試験媒体テープに画定された真空通路と封止膜とを含み、該封止膜が穿孔され、かつ、体液が採取されるときに該穿孔装置の周りを封止することに適しており、当該試験セクションが、真空通路と封止膜との間に設けられた試験パッドをさらに含み、当該試験パッドが体液を採取するのに適している請求項１０記載のサンプリング装置。
【請求項１２】
体液を分析するために試験媒体テープの近位側に設けられたセンサを備えてなる請求項１１記載のサンプリング装置。
【請求項１３】
試験媒体テープと、カバーテープと、供給リールと、保存リールとを備えた試験媒体カセットであって、
前記試験媒体上の切り込みから体液が採取され、
前記カバーテープが、試験媒体テープを保護するために該試験媒体テープを覆い、
前記供給リールから試験媒体テープが供給され、
前記保存リールの周りに試験媒体テープが保存されてなる
試験媒体カセットであって、
前記カバーテープに取り付けられたカバーリールをさらに備え、該カバーリールが、体液に露出する前に当該カバーリールを試験媒体カセットから剥離するのに適している試験媒体カセット。 
【請求項１４】
前記供給リールが回転自在に設けられた供給部と、前記保存リールが回転自在に設けられた保存リールとを含むカバーをさらに備え、該カバーが前記試験媒体テープに沿って露出開口を画定し、該露出開口において試験媒体テープが体液に対して露出される請求項１３記載の試験媒体カセット。
【請求項１５】
試験媒体テープ、供給部および保存部を備えた体液サンプリング装置であって、
該試験媒体テープ上の切り込みから体液が採取され、
該試験媒体テープが、
体液を試験するための試薬を含む試験パッドと、
該試験パッドに対して近位側に設けられたブリスターパックと
を含み、
当該ブリスターパックが、体液を毛管現象によって前記試験パッドまで引くために適している凸型表面を有している
体液サンプリング装置。
【請求項１６】
皮膚を穿孔するために適している穿孔装置と、
皮膚の穿孔中に試験媒体テープを貫ぬく穿孔装置の通路を画定する試験媒体テープと
を備えている請求項１５記載のサンプリング装置。
【手続補正書】
【提出日】平成15年4月28日(2003.4.28)
【手続補正１】
【補正対象書類名】明細書
【補正対象項目名】特許請求の範囲
【補正方法】変更
【補正の内容】
【特許請求の範囲】
【請求項１】
内輪（２１ｂ）及び外輪（６６ａ）を有する転がり軸受（６５、６６）によって軸受ブッシュ（２３；７１）内に回転可能に取り付けられた駆動軸部分（５３ｂ）を内部に設けたシャフト（１３）を有する医療用または歯科用ハンドピース（３）であって、
前記軸受ブッシュ（２３；７１）の内側面（２３ａ）か、前記外輪（６６ａ）の外側面（６６ｃ）に第１リング溝（２５）が設けられ、該第１リング溝（２５）に固定リング（２４）がはまっており、該固定リング（２４）は、前記第１リング溝（２５）から突出して、少なくとも１つの側部で、半径方向に向き合った位置にある部材の肩表面（２６ａ）を押し付けることを特徴とする医療用または歯科用ハンドピース（３）。
【請求項２】
内輪（２１ｂ）及び外輪（２１ａ）を有する転がり軸受（２１）によって軸受ブッシュ（２３）内に回転可能に取り付けられた、器具収容スリーブ（１５）またはタービンロータ（１８）を形成している回転部材（１２）を有する医療用または歯科用ハンドピース（３）であって、
前記軸受ブッシュ（２３）内に、軸方向に互いに隣り合わせた２つの転がり軸受（２１）か、２列配置の転がり軸受が配置されており、また、前記軸受ブッシュ（２３）の内側面（２３ａ）か、夫々の前記外輪（２１ａ）の外側面（２１ｃ）に第１リング溝（２５）が設けられ、該第１リング溝（２５）に固定リング（２４）がはまっており、該固定リング（２４）は、前記第１リング溝（２５）から突出して、少なくとも１つの側部で、半径方向に向き合った位置にある部材の肩表面（２６ａ）を押し付けることを特徴とする医療用または歯科用ハンドピース（３）。
【請求項３】
内輪（２１ｂ）及び外輪（２１ａ、６６ａ）を有する転がり軸受（２１；６５、６６）によって軸受ブッシュ（２３；７１）内に回転可能に取り付けられた回転部材（１２）を有し、前記軸受ブッシュ（２３；７１）の内側面（２３ａ）か、前記外輪（２１ａ、６６ａ）の外側面（２１ｃ；６６ｃ）に第１リング溝（２５）が設けられ、該第１リング溝（２５）に固定リング（２４）がはまっており、該固定リング（２４）は、前記第１リング溝（２５）から突出して、少なくとも１つの側部で、半径方向に向き合った位置にある部材の肩表面（２６ａ）を押し付ける医療用または歯科用ハンドピース（３）であって、
前記外輪（６６ａ）は、軸方向に境界面（６７）を押し付けており、前記第２リング溝（２６）は、軸方向において前記境界面（６７）から離れる軸方向にずれていることを特徴とする医療用または歯科用ハンドピース（３）。
【請求項４】
前記肩表面（２６ａ）は、半径方向に向き合った位置にある部材の第２リング溝（２６）によって形成されており、前記固定リング（２４）は、前記第２リング溝（２６）の両方の肩表面（２６ａ）を押し付けることを特徴とする請求項１乃至３のいずれかに記載のハンドピース。
【請求項５】
前記固定リング（２４）は、弾性付勢によって、前記少なくとも１つの肩表面（２６ａ）を、好ましくは、前記第２リング溝（２６）の底面も押し付けることを特徴とする先行する請求項のいずれかに記載のハンドピース。
【請求項６】
前記第１リング溝（２５）または前記少なくとも１つの肩表面（２６）は、前記外輪（２１ａ；６６ａ）の軌道に対して軸方向にずれていることを特徴とする先行する請求項のいずれかに記載のハンドピース。
【請求項７】
前記第２リング溝（２６）の断面形状は、丸形であるか、収束状の側面（２６ａ）を有することを特徴とする先行する請求項のいずれかに記載のハンドピース。
【請求項８】
前記第２リング溝（２６）を有する部材または前記外輪（２１ａ；６６ａ）は、それぞれの軸方向縁部の一方または両方に丸形または傾斜引き込み面（２７）を有することを特徴とする先行する請求項のいずれかに記載のハンドピース。
【請求項９】
前記固定リング（２４）は、前記第２リング溝（２６）の底面を、好ましくは弾性張力で押し付けており、前記軸受ブッシュ（２３）の内側面（２３ａ）及び前記外輪（２１ａ）の外側面（２１ｃ）間にリング隙間（ｂ）が設けられていることを特徴とする先行する請求項のいずれかに記載のハンドピース。
【請求項１０】
前記外輪（６６ａ）は、軸方向に境界面（６７）を押し付けており、前記第２リング溝（２６）は、軸方向において前記境界面（６７）から離れる軸方向にずれていることを特徴とする先行する請求項のいずれかに記載のハンドピース。
【手続補正書】
【提出日】平成15年4月28日(2003.4.28)
【手続補正１】
【補正対象書類名】明細書
【補正対象項目名】特許請求の範囲
【補正方法】変更
【補正の内容】
【特許請求の範囲】
【請求項１】
医療用または歯科用ハンドピース（３）用であって、外側及び内側軌道輪（２３、２５）間にころ（２２）を、軌道（２２ａ）内に配置して有する転がり軸受（２１）、特に小型転がり軸受であって、
互いに軸方向間隔（ａ）を置いて配置された２つのころ列のころ（２２）を有し、前記内側軌道輪（２３、２５）は、軸方向に前後して配置された２つのリング部材（２３ａ、２３ｂ）からなることを特徴とする転がり軸受。
【請求項２】
前記リング部材（２３ａ、２３ｂ）は、互いに接しているか、互いに軸方向間隔を置いて離れていることを特徴とする請求項１記載の医療用または歯科用ハンドピース、または転がり軸受。
【請求項３】
前記軸方向間隔（ａ）は、一方または両方の列の前記ころ（２２）の平均直径（ｂ）より大きいことを特徴とする請求項１または２記載の転がり軸受。
【請求項４】
医療用または歯科用ハンドピース（３）用であって、外側及び内側軌道輪（２３、２５）間にころ（２２）を、軌道（２２ａ）内に配置して有する転がり軸受（２１）、特に小型転がり軸受であって、
互いに軸方向間隔（ａ）を置いて配置された２つのころ列のころ（２２）を有し、該軸方向間隔（ａ）は、一方または両方の列のころ（２２）の平均直径（ｂ）より大きいことを特徴とする転がり軸受。
【請求項５】
医療用または歯科用ハンドピース（３）用であって、外側及び内側軌道輪（２３、２５）間にころ（２２）を、軌道（２２ａ）内に配置して有する転がり軸受（２１）、特に小型転がり軸受であって、
前記内側軌道輪（２５）及び／または前記外側軌道輪（２３）の端面に、それぞれ半径方向外向きまたは半径方向内向きに延出するフランジ（２３ｃ）及び／またはフランジ（２５ｃ）が設けられており、
一方のころ列の前記ころ（２２）は、一方の軌道輪の前記フランジ（２３ｃ）またはフランジ（２５ｃ）と他方の軌道輪の軸方向に向き合った位置の端面との間に配置されていることを特徴とする転がり軸受。
【請求項６】
回転部材（１２）と、該回転部材（１２）の取り付け用に設けられて、互いに隣り合わせて配置された少なくとも２つのころ列を有する少なくとも１つの転がり軸受（２１）とを有する医療用または歯科用ハンドピース（３）であって、
前記転がり軸受（２１）は、互いに軸方向間隔（ａ）を置いて配置された２つのころ列のころ（２２）を有し、前記内側軌道輪（２３、２５）は、軸方向に前後して配置された２つのリング部材（２３ａ、２３ｂ）からなることを特徴とする医療用または歯科用ハンドピース。
【請求項７】
前記リング部材（２３ａ、２３ｂ）は、互いに接しているか、互いに軸方向間隔を置いて離れていることを特徴とする請求項６記載の医療用または歯科用ハンドピース。
【請求項８】
前記ころ列の前記軸方向間隔（ａ）は、一方または両方の列のころ（２２）の平均直径（ｂ）より大きいことを特徴とする請求項６または７記載の医療用または歯科用ハンドピース。
【請求項９】
前記転がり軸受（２１）はハンドピース（３）の、前端部領域に配置されて、器具（６）用のタービンロータ（１５ａ）及び／または収容スリーブ（１８）を取り付けることを特徴とする請求項６乃至８のいずれかに記載の医療用または歯科用ハンドピース。
【請求項１０】
前記タービンロータ（１５ａ）のタービンホィール（１５）の片側に、唯一の転がり軸受（２１）が配置されていることを特徴とする請求項９記載の医療用または歯科用ハンドピース。
【請求項１１】
前記転がり軸受（２１）は、前記タービンホィール（１５）の器具側に配置されていることを特徴とする請求項１０記載の医療用または歯科用ハンドピース。
【請求項１２】
前記回転部材（１２）は、器具用の収容スリーブ（１８）によって形成されており、ハンドピース（３）の前側駆動軸部分（３３ｃ）が、前記外側軌道輪（２３）の貫通穴（２３ｅ）に挿通されており、その前端部に円錐歯車（３８）を有し、該円錐歯車は、前記収容スリーブ（１８）に設けられた円錐歯車（３９）と駆動連結していることを特徴とする請求項９記載の医療用または歯科用ハンドピース。
【請求項１３】
前記転がり軸受（２１ａ、２１ｂ）は、駆動軸部分（３３ａ、３３ｂ）の少なくとも一端部を取り付けるためにハンドピース（３）の内部に配置されていることを特徴とする請求項６乃至８のいずれかに記載の医療用または歯科用ハンドピース。
【請求項１４】
鈍角をなす後側及び前側シャフト部分（１３ａ、１３ｂ）を有し、該シャフト部分（１３ａ、１３ｂ）内にそれぞれ、互いに駆動連結されている駆動軸部分（３３ａ、３３ｃ）が回転可能に取り付けられている医療用または歯科用ハンドピース（３）であって、
前記後側及び前側駆動軸部分（３３ａ、３３ｃ）間で、頂部領域内の器具（６）から遠い側の方にずらした位置に、中間駆動軸部分（３３ｂ）が配置されており、該中間駆動軸部分（３３ｂ）は、歯車伝達機構によって前記後側及び前側駆動軸部分（３３ａ、３３ｃ）に連結されていることを特徴とし、また、
前記中間及び前記前側駆動軸部分（３３ｂ、３３ｃ）は、円筒歯車機構または円錐歯車機構によって互いに駆動連結されていることを特徴とする医療用または歯科用ハンドピース。
【請求項１５】
前記中間駆動軸部分（３３ｂ）は、前記後側駆動軸部分（３３ａ）に対して平行にずれているか、前記後側駆動軸部分（３３ａ）に対して鋭角（Ｗ５）をなすことを特徴とする請求項１４記載の医療用または歯科用ハンドピース。
【手続補正書】
【提出日】平成16年5月6日(2004.5.6)
【手続補正１】
【補正対象書類名】特許請求の範囲
【補正対象項目名】全文
【補正方法】変更
【補正の内容】
【特許請求の範囲】
【請求項１】
マットレスを支持するための基台と、
起立および倒伏が可能な背中区分、および上側脚区分と前記上側脚区分に当接する下側脚区分からなる脚区分を含む互いに接続可能な複数の区分に分割されたマットレスであって、前記上側脚区分と前記上側脚区分に当接する前記下側脚区分は起立および倒伏が可能であるようなマットレスと、
前記背中区分の下側に位置し、膨張および収縮によって前記背中区分を起立および倒伏させる膨張性空気チャンバと、
前記脚区分の下側に位置し、膨張および収縮によって前記脚区分を起立および倒伏させる膨張性空気チャンバと、
空気源と、
前記空気チャンバの各々に供給される空気の量を調節する制御装置と
を備えていることを特徴とする調整可能ベッド。
【請求項２】
前記マットレスは、前記背中区分と前記脚区分との間に位置する臀部区分をさらに備えていることを特徴とする請求項１に記載の調整可能ベッド。
【請求項３】
前記基台は、ボックススプリングの組からなっていることを特徴とする請求項１に記載の調整可能ベッド。
【請求項４】
前記マットレス区分は、ジッパーによって互いに接続されていることを特徴とする請求項１に記載の調整可能ベッド。
【請求項５】
前記上側脚区分と前記下側脚区分の互いに当接する側面は、前記上側脚区分と前記下側脚区分とが倒伏位置にある時に、前記側面間にＶ字状の領域を形成する角度で傾斜していることを特徴とする請求項１に記載の調整可能ベッド。
【請求項６】
前記下側脚区分、前記上側脚区分、および前記背中区分は、前記空気チャンバが収縮した時に前記空気チャンバを保持する凹領域をそれらの底面に有していることを特徴とする請求項１に記載の調整可能ベッド。
【請求項７】
クッション上層をさらに備えていることを特徴とする請求項１に記載の調整可能ベッド。
【請求項８】
関節式に屈曲するマットレスであって、
起立および倒伏が可能な背中区分と、前記背中区分に隣接する臀部区分と、前記臀部区分に隣接する上側脚区分と、前記上側脚区分に隣接する起立および倒伏が可能な下側脚区分を含む相互接続される複数の分割区分と、
前記区分を互いに接続する手段と
を備えているマットレス。
【請求項９】
前記区分を互いに接続する手段がジッパーであることを特徴とする請求項８に記載のマットレス。
【請求項１０】
前記下側脚区分、前記上側脚区分、および前記背中区分は、前記空気チャンバが収縮した時に前記空気チャンバを保持する凹領域をそれらの底面に有していることを特徴とする請求項８に記載のマットレス。
【請求項１１】
前記上側脚区分と前記下側脚区分の互いに当接する側面は、前記上側脚区分と前記下側脚区分とが倒伏位置にある時に、前記側面間にＶ字状の領域を形成する角度で傾斜していることを特徴とする請求項８に記載のマットレス。
【手続補正書】
【提出日】平成15年9月24日(2003.9.24)
【手続補正１】
【補正対象書類名】明細書
【補正対象項目名】発明の名称
【補正方法】変更
【補正の内容】
【発明の名称】神経型ニコチン性アセチルコリン受容体のヒトアルファおよびベータサブユニットをコードするＤＮＡ
【手続補正書】
【提出日】平成15年2月28日(2003.2.28)
【手続補正１】
【補正対象書類名】明細書
【補正対象項目名】００４２
【補正方法】変更
【補正の内容】
【００４２】
（３）配列番号２−３の配列、又は配列番号１のアミノ酸210−661をコードするヌクレオチド配列、及び保存的に修飾されたその変異体に対して、緊縮ハイブリダイゼーション条件下で特異的にハイブリダイズし；又は
（４）配列番号４−12から成る群から選択されたプライマー組みと同じ配列に対して、緊縮ハイブリダイゼーション条件下で特異的にハイブリダイズする、CNG3B多形変異体、対立遺伝子、変異体及び種間相同体を言及する。


【手続補正２】
【補正対象書類名】明細書
【補正対象項目名】０２５８
【補正方法】変更
【補正の内容】
【０２５８】
CNG3Bの中間からの約180bpのバンドを、網膜から調製されたヒトcDNAから増幅し、この組織における発現を示した。このバンドを増幅するために使用されるオリゴヌクレオチドは、5’−(1) TCTATCTCCTGTGGCTCTTGCTTGTC（配列番号４）(センス)、及び5’−（２）GAGTCTGGGCTGGATAAATAGCATATC（配列番号５）（アンチセンス）であった。CNG3Bの中間からの約787bpのバンドを、5’−（３）AGGAATTGGCACTACTAGATGGGTG（配列番号６）（センス）、及び5’−（４）TTCATGAGGATCCTTTCAGAATCAGG（配列番号７）（アンチセンス）オリゴを用いて、ヒト細胞から増幅した。CNG3Bの中間からの約1.26kbのバンドを、5’−（１）TCTATCTCCTGTGGCTCTTGCTTGTC（配列番号４）(センス)、及び5’−（４）TTCATGAGGATCCTTTCAGAATCAGG（配列番号７）（アンチセンス）オリゴを用いて、ヒト網膜から増幅した。1.26kbのフラグメント（5’−１及び４）をサブクローン化し、そしてその配列を確かにした。


【手続補正３】
【補正対象書類名】明細書
【補正対象項目名】０２５９
【補正方法】変更
【補正の内容】
【０２５９】
CNG3Bの完全な3’末端を、ヒト網膜cDNAから標準の3’RACE PCR技法により、連続して２度、増幅した。第１の段階においては、使用される遺伝子特異的プライマーは、5’−（５）GGAAACCGTCGAACTGCCAATGTGGT（配列番号８）（センス）であった。この反応は、配列決定される場合、CNG3B  mRNAの完全な3’末端を含むことが見出されている約810bpのバンドを生成するネスティド遺伝子特異的オリゴ5’−（６）CGGGTTTGCCAATCTTTTAACTCTAGAC（配列番号９）（センス）により再増幅した。このフラグメントは、元の1.26kbのCNG3Bフラグメントとオーバラップし、連続配列を提供した。


【手続補正４】
【補正対象書類名】明細書
【補正対象項目名】０２６０
【補正方法】変更
【補正の内容】
【０２６０】
CNG3Bの5’末端を、２回の標準の5’RACE PCRを用いて、ヒト網膜cDNAから増幅した。オリゴ5’−（２）GAGTCTGGGCTGGATAAATAGCATATC（配列番号５）（アンチセンス）を、第１回目のRACE PCRに使用し、そしてネスティド遺伝子特異的オリゴ5’−（７）GTCCGCAATAAGCCAGTAGTGTATG（配列番号10）（アンチセンス）を用いて再増幅した。開始コドン（メチオニン）を含むCNG3Bの完全な5’末端を含む約830bpのフラグメントを単離した。このフラグメントは、元の1.26kbのフラグメントをオーバーラップし、元の1.26kbの配列を有する5’及び3’RACE生成物を用いて、CNG3B mRNAの完全な連続コード領域の決定を可能にした。


【手続補正５】
【補正対象書類名】明細書
【補正対象項目名】０２６１
【補正方法】変更
【補正の内容】
【０２６１】
次に、CNG3Bの完全なコード領域を、上記フラグメントの配列分析により決定されるように、CNG3Bコード配列をオーバーラップするオリゴヌクレオチドを用いて、単一のフラグメントで単離した。使用されるオリゴヌクレオチドは、5’−（８）TGACAAGCTTCCGCCATGTTTAAATCGCTGACAAAAGTC（配列番号11）（センス）、及び5’−（９）TGACGAATTCTCCCAGCATGTCGTTTCCCCTCGTTAA（配列番号12）（アンチセンス）であった。最初のオリゴヌクレオチドは、開始メチオニン、CNG3B遺伝子の最初の24個のコードヌクレオチド、及びプラスミドベクター中にサブクローンするための上流のHindIII制限酵素部位、及び翻訳を増強するためのKozakコンセンサス配列を包含する。


【手続補正６】
【補正対象書類名】明細書
【補正対象項目名】図面の簡単な説明
【補正方法】変更
【補正の内容】
【図面の簡単な説明】
【図１】
図１は、ヒトCNGA1（配列番号14）及びCNGA3（配列番号15）とCNG3B（配列番号13）とのアミノ酸一列整列を示す。同一の残基は陰影部であり、そして右端での数字はアミノ酸位置を示す。
【図２】
図２は、PCRフラグメントのアセンブリーに由来する完全なCNG3B配列（配列番号16）を示す。コード配列は太字で示され、そして未翻訳配列は通常の型で存在する。
【図３】
図３は、完全なCNG3Bコードヌクレオチド配列（配列番号３）を示す。
【図４】
図４は、完全なCNG3Bアミノ酸配列（配列番号１）を示す。
【手続補正書】
【提出日】平成15年7月16日(2003.7.16)
【手続補正１】
【補正対象書類名】特許請求の範囲
【補正対象項目名】全文
【補正方法】変更
【補正の内容】
【特許請求の範囲】
【請求項１】
（a）配列番号４、６、８、１０、１２、１４、１６または１８のアミノ酸配列をコードする単離された核酸分子、（ｂ）配列番号３、５、７、９、１１、１３、１５または１７を含む核酸分子の補体にハイブリダイズする単離された核酸分子、（ｃ）配列番号４、６、８、１０、１２、１４、１６または１８のアミノ酸配列をコードする核酸分子で且つアラビドプシスYSLタンパク質をコードする核酸分子の補体にハイブリダイズする単離された核酸分子、および（ｄ）配列番号４、６、８、１０、１２、１４、１６または１８と少なくとも約７９％のアミノ酸配列一致率を示すタンパク質をコードする単離された核酸分子、より成る群から選択される単離された核酸分子。
【請求項２】
前記核酸分子が、一つ以上の発現制御因子に作動可能に連結されている、請求項１に記載の単離された核酸分子。
【請求項３】
請求項１に記載の単離された核酸分子を含むベクター。
【請求項４】
請求項１に記載の核酸分子を含む形質転換された宿主細胞。
【請求項５】
請求項３に記載のベクターを含む宿主細胞。
【請求項６】
前記宿主が、原核宿主細胞および真核宿主細胞から成る群より選択される、請求項５に記載の宿主細胞。
【請求項７】
請求項１に記載の核酸分子によってコードされたタンパク質が発現される条件下で、前記核酸分子で形質転換された宿主細胞を培養するステップを含む、ペプチドを製造する方法。
【請求項８】
前記宿主細胞が、原核宿主細胞および真核宿主細胞から成る群より選択される、請求項７に記載の方法。
【請求項９】
請求項７に記載の方法によって製造される単離されたポリペプチド。
【請求項１０】
（a）配列番号４、６、８、１０、１２、１４、１６または１８のアミノ酸配列を含む単離されたポリペプチド、（b）配列番号４、６、８、１０、１２、１４、１６または１８の保存的アミノ酸置換体を含む単離されたポリペプチドおよび（c）配列番号４、６、８、１０、１２、１４、１６または１８と少なくとも約７９％のアミノ酸配列一致率を示す単離されたポリペプチドから成る群より選択される、単離されたポリペプチドまたはタンパク質。
【請求項１１】
少なくとも一つの請求項１に記載の核酸を含むトランスジェニック植物。
【請求項１２】
高蓄積体でもある、請求項１１に記載のトランスジェニック植物。
【請求項１３】
トランスジェニック植物が、高蓄積体表現型を発現するように設計されている、請求項１２に記載のトランスジェニック植物。
【請求項１４】
金属の高蓄積が、特定の植物組織の中にコンパートメント化される、請求項１３に記載のトランスジェニック植物。
【請求項１５】
前記特定の植物組織が食用である、請求項１４に記載のトランスジェニック植物。
【請求項１６】
請求項１０に記載のタンパク質を発現するように設計されているトランスジェニック植物。
【請求項１７】
高蓄積体でもある、請求項１６に記載のトランスジェニック植物。
【請求項１８】
トランスジェニック植物が、高蓄積体表現型を発現するように設計されている、請求項１７に記載のトランスジェニック植物。
【請求項１９】
金属の高蓄積が、特定の植物組織の中にコンパートメント化される、請求項１８に記載のトランスジェニック植物。
【請求項２０】
前記特定の植物組織が食用である、請求項１９に記載のトランスジェニック植物。
【請求項２１】
土壌環境から金属を取り入れる方法であって、
アンチモン、ヒ素、バリウム、ベリリウム、カドミウム、クロム、コバルト、銅、金、鉄、鉛、マンガン、モリブデン、ニッケル、パラジウム、セレン、銀、ストロンチウム、スズ、ウラン、バナジウムおよび亜鉛から成る群より選択される金属を含む土壌環境を同定するステップと、
前記土壌環境に請求項１１乃至２０に記載の少なくとも一つの植物を植えるステップと、
前記植物が前記土壌環境から前記金属を取り入れるために充分な時間にわたって、条件の下で、前記土壌環境に前記植物を維持するステップと、
を含む、前記方法。
【請求項２２】
前記植物に蓄積された金属の濃度が、前記環境の前記金属の濃度よりも高い、請求項２１に記載の方法。
【請求項２３】
金属が、鉄、クロム、マンガン、セレンおよび銅から成る群より選択される、請求項２１に記載の方法。
【請求項２４】
植物が、アマランサス（Ａｍａｒａｎｔｈｕｓ）、ブラシカ（Ｂｒａｓｓｉｃａ）、ラファナス（Ｒａｐｈａｎｕｓ）およびシナピス（Ｓｉｎａｐｉｓ）から成る群より選択される種の植物である、請求項２１に記載の方法。
【請求項２５】
植物が、アマランサス・パニキュラータ（Ａｍａｒａｎｔｈｕｓ  ｐａｎｉｃｕｌａｔａ）、ダイコン（Ｒａｐｈａｎｕｓ  ｓａｔｉｖｕｓ）およびトラスピ・カエルレセンス（Ｔｈｌａｓｐｉ  ｃａｅｒｕｌｅｓｃｅｎｓ）より成る群から選択される、請求項２４に記載の方法。
【請求項２６】
植物が、カラシナ（Ｂｒａｓｓｉｃａ  ｊｕｎｃｅａ）、アビシニアガラシ（Ｂ．  ｃａｒｉｎａｔａ）、キャベツ（Ｂ．  ｏｌｅｒａｃｅａ）、クロガラシ（Ｂ．  ｎｉｇｒａ）、アブラナ（Ｂ．  ｃａｍｐｅｓｔｒｉｓ）、セイヨウアブラナ（Ｂ．  ｎａｐｕｓ）およびブラシカ・トルニフォルティイ（Ｂ．  ｔｏｕｒｎｉｆｏｒｔｉｉ）から成る群より選択される、請求項２１に記載の方法。
【請求項２７】
植物が、シロガラシ（Ｓｉｎａｐｉｓ  ａｌｂａ）、ノハラガラシ（Ｓ．  ａｒｖｅｎｓｉｓ）、シナピス・フレクスオーサ（Ｓ．  ｆｌｅｘｕｏｓａ）およびシナピス・プベセンス（Ｓ．  ｐｕｂｅｓｃｅｎｓ）から成る群より選択される、請求項２１に記載の方法。
【請求項２８】
少なくとも一つの請求項２に記載の核酸を含む、トランスジェニック植物。
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
複数の事業単位及び複数の製造設備を有する組織を定義する構成データを記憶するデータベースを含むラベル管理ソフトウェアシステムであって、
上記ラベル管理ソフトウェアシステムは、
上記事業単位のうちの１つに関連付けられたラベルレコードを作成し、
上記ラベルレコードに関連付けられた事業単位に基づいて上記製造設備のうちの１つを選択し、
上記ラベルレコードに従って、上記選択された製造設備において選択的にラベルを印刷するラベル管理ソフトウェアシステム。
【請求項２】
複数の事業単位及び複数の製造設備を定義する構成データを記憶することと、
複数のラベルレコード及び対応するラベルデータを記憶することと、
上記複数のラベルレコードを上記複数の事業単位と関連付けることと、
上記複数のラベルレコードの１つを選択することと、
上記選択されたラベルレコード及び上記関連付けられた事業単位に従って、上記製造設備のうちの１つにおいてラベルを印刷することとを含む方法。
【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】
マルチメディア・コンテンツのレンダリングの結果としてのエンドユーザシステムでの前記マルチメディア・コンテンツの許可されない記録を防ぐ方法であって、
前記マルチメディア・コンテンツを受け取ることができる、前記エンドユーザシステムに接続された、事前に選択された入力装置または入力ポートあるいはその両方をオープンし、これによって記録を阻止することと、
暗号化解除鍵を用いて前記マルチメディア・コンテンツを暗号化解除することと、
暗号化解除された前記マルチメディア・コンテンツをレンダリングすることと
を含む方法。
【請求項２】
事前に選択された装置またはポートあるいはその両方をオープンする前記ステップが、所定の品質レベルで前記マルチメディア・コンテンツを記録できる装置またはポートあるいはその両方のそれぞれについて、さらに、
前記所与の装置またはポートあるいはその両方が既にオープンされているかどうかを判定し、前記装置またはポートあるいはその両方がオープンされていない場合に、前記装置またはポートあるいはその両方をオープンする前記ステップを実行するステップ
を含む、請求項１に記載の方法。
【請求項３】
前記装置またはポートあるいはその両方が既にオープンされている場合に、
前記所与の装置またはポートあるいはその両方が、オープンされることを許可されるかどうかを判定するステップと、
前記装置またはポートあるいはその両方がオープンされることを許可されない場合に、エンド・ユーザにエラー・メッセージを返すステップと、
前記マルチメディア・コンテンツの前記レンダリングを停止するステップと
を含む、請求項２に記載の方法。
【請求項４】
選択された装置またはポートあるいはその両方をオープンする前記ステップが、さらに、装置またはポートあるいはその両方のそれぞれについて、
所与の装置またはポートあるいはその両方が、少なくとも所定の品質レベルと等しいコンテンツを受け取ることができるかどうかを判定し、前記所与の装置またはポートあるいはその両方が、少なくとも所定の品質レベルと等しいコンテンツを受け取ることができる場合に、
前記所与の装置またはポートあるいはその両方が、オープンされているかどうかを判定し、前記所与の装置またはポートあるいはその両方が、オープンされていない場合に、
前記装置またはポートあるいはその両方をオープンするステップ
を実行するステップ
を実行すること
を含む、請求項１に記載の方法。
【請求項５】
前記装置またはポートがオープンの場合、
前記所与の装置またはポートあるいはその両方が、オープンを許可されるかどうかを判定するステップと、
前記装置またはポートあるいはその両方が、オープンされることを許可されない場合に、エンド・ユーザにエラー・メッセージを返すステップと、
前記マルチメディア・コンテンツの前記レンダリングを停止するステップと
を行う、請求項４に記載の方法。
【請求項６】
マルチメディア・コンテンツのレンダリングの結果としての前記マルチメディア・コンテンツの許可されない記録をエンドユーザ・システムが防ぐプログラミング命令を含むコンピュータ・プログラムであって、前記命令が、コンピュータによって実行される時に、請求項１ないし５のいずれかに記載の方法をコンピュータに実行させる、コンピュータ・プログラム。
【請求項７】
エンドユーザ・システムであって、
暗号化されたディジタル・コンテンツを保管する記憶媒体へのインターフェースと、
前記保管されたディジタル・コンテンツを暗号化解除する手段と、
前記暗号化解除されたディジタル・コンテンツを再生またはレンダリングするマルチメディア装置またはマルチメディア・ポートあるいはその両方と、
前記暗号化解除されたディジタル・コンテンツの少なくとも一部を記録できる１つまたは複数の装置またはポートあるいはその両方であって、前記１つまたは複数の装置またはポートあるいはその両方が、前記装置またはポートあるいはその両方のそれぞれが前記暗号化解除されたディジタル・コンテンツを記録することを阻止するために、前記暗号化されたディジタル・コンテンツの前記再生またはレンダリングの前にオープンされることができる、１つまたは複数の装置またはポートあるいはその両方と、
前記１つまたは複数の装置またはポートあるいはその両方の少なくとも１つの記録品質を判定し、前記記録品質が所定の品質レベル未満である場合に、前記暗号化されたディジタル・コンテンツの再生またはレンダリングの前に前記装置またはポートあるいはその両方をオープンせず、前記記録品質が所定の品質レベルを超える場合に、前記暗号化されたディジタル・コンテンツの再生またはレンダリングの前に前記装置またはポートあるいはその両方をオープンする手段と
を含むエンドユーザ・システム。